(57)【要約】【課題】マルチトラックレコーダにおいて、あるトラックに記録された音声信号を別のトラックに複製する処理を、簡易にかつ確実に実現する。【解決手段】複数のトラック１−４のうち、トラック３，４をモノラルとステレオのいずれかのトラックタイプに設定可能なマルチトラックレコーダ。トラックタイプをメモリに記憶し、複製元のトラックに記録された音声信号を複製先のトラックに複製記録する際に、メモリに記憶されたトラックタイプを用いて、複製元のトラックのトラックタイプに応じたトラックを、可能な複製先のトラックとして表示部２４に自動的に提示する。【選択図】図２
2014041679.tif 000002
【特許請求の範囲】
【請求項１】
複数のトラックに音声信号を記録するマルチトラックレコーダであって、
複数のトラックの少なくともいずれかのトラックを、モノラルとステレオのいずれかのトラックタイプに設定可能な設定手段と、
前記設定手段で設定されたトラックタイプを記憶する記憶手段と、
複製元のトラックに記録された音声信号を複製先のトラックに複製記録する制御手段であって、前記記憶手段に記憶された前記トラックタイプを用いて、複製元のトラックのトラックタイプに応じたトラックを、可能な複製先のトラックとして提示する制御手段と、
を備えることを特徴とするマルチトラックレコーダ。
【請求項２】
請求項１記載のマルチトラックレコーダにおいて、
前記制御手段は、複製元のトラックがモノラルトラックの場合に、可能な複製先のトラックとしてモノラルトラックを提示し、複製元のトラックがステレオトラックの場合に、可能な複製先のトラックとしてステレオトラック、あるいはモノラルトラックのペアを提示する
ことを特徴とするマルチトラックレコーダ。
【発明の詳細な説明】
【技術分野】
【０００１】
本発明は、複数のトラックに音声信号を記録するマルチトラックレコーダに関する。
【背景技術】
【０００２】
従来から、複数のトラックに音声信号を記録するマルチトラックレコーダが知られている。マルチトラックレコーダを用いることで、例えばエレキギターを使ってリズムギターパートをトラック１、リードギターパートをトラック２に記録し、内蔵マイクを使ってボーカル音声をトラック３に記録し、これらをミックスダウンしてステレオ信号を生成して記録する等が可能である。
【０００３】
マルチトラックレコーダとしては、できるだけ多くのトラックを備えて音声信号を記録できることが望ましい一方、携帯性を考慮して装置をコンパクト化する場合にはトラック数を限定せざるを得ない状況も生じる。このような場合、トラック数はある一定数、例えば４トラックに限定するとともに、そのうちのいくつかのトラックをモノラルに固定するのではなく、モノラルあるいはステレオのいずれにも設定可能としてユーザの利便性を高めることが考えられる。
【０００４】
下記の特許文献１には、マルチトラックレコーダに関するものではないが、記録担体に記録されているデータを記録モードに対応して簡単に編集可能とすることを目的として、記録モードが選択されると、表示部の表示を切り替えて編集機能を選択可能に表示するように構成した光磁気ディスク編集装置が記載されている。
【先行技術文献】
【特許文献】
【０００５】
【特許文献１】特開２００２−２０８２５８号公報
【発明の概要】
【発明が解決しようとする課題】
【０００６】
トラック数を一定数に限定するとともに、そのうちのいくつかのトラックをモノラルあるいはステレオのいずれにも設定可能とする構成の場合、処理によってはユーザの操作性が低下する場合が生じ得る。
【０００７】
例えば、あるトラックに記録された音声信号を別のトラックに複製（コピー）する場合、複製元のトラックがモノラルトラックであってモノラル信号が記録されているのであれば、複製先のトラックもモノラルトラックでなければならないが、ユーザが所望する複製先のトラックがモノラルではなくステレオに設定されている場合には複製することができず、ユーザは困惑することになる。どのトラックがモノラルあるいはステレオであるかをユーザが正確に把握しておけばよいが、ユーザの負担が増大してしまう。また、音声信号を複製する毎に、どのトラックがモノラルでどのトラックがステレオであるかを専用画面等でその都度確認するのも手間となる。
【０００８】
本発明の目的は、複数のトラックの少なくともいずれかのトラックをモノラルあるいはステレオのいずれかに設定可能なマルチトラックレコーダにおいて、あるトラックに記録された音声信号を別のトラックに複製する処理を、簡易にかつ確実に実現することにある。
【課題を解決するための手段】
【０００９】
本発明は、複数のトラックに音声信号を記録するマルチトラックレコーダであって、複数のトラックの少なくともいずれかのトラックを、モノラルとステレオのいずれかのトラックタイプに設定可能な設定手段と、前記設定手段で設定されたトラックタイプを記憶する記憶手段と、複製元のトラックに記録された音声信号を複製先のトラックに複製記録する制御手段であって、前記記憶手段に記憶された前記トラックタイプを用いて、複製元のトラックのトラックタイプに応じたトラックを、可能な複製先のトラックとして提示する制御手段とを備えることを特徴とする。
【００１０】
本発明の１つの実施形態では、前記制御手段は、複製元のトラックがモノラルトラックの場合に、可能な複製先のトラックとしてモノラルトラックを提示し、複製元のトラックがステレオトラックの場合に、可能な複製先のトラックとしてステレオトラック、あるいはモノラルトラックのペアを提示することを特徴とする。
【発明の効果】
【００１１】
本発明によれば、複製元のトラックのトラックタイプに応じたトラックを、可能な複製先のトラックとして自動的に提示するので、ユーザは、あるトラックに記録された音声信号を別のトラックに複製する処理を簡易にかつ確実に実現することができ、操作性が向上するとともにユーザの負担が軽減される。
【図面の簡単な説明】
【００１２】
【図１】実施形態におけるマルチトラックレコーダの構成図である。
【図２】実施形態におけるマルチトラックレコーダの平面図である。
【図３】実施形態におけるマルチトラックレコーダの正面図である。
【図４】実施形態におけるマルチトラックレコーダの背面図である。
【図５】トラックタイプの設定画面を示す説明図である。
【図６】トラック複製（コピーあるいはクローン）時の複製元トラックと複製先トラックを選択する画面の説明図である。
【図７】複製元のトラックと複製先のトラックの組み合わせを示す説明図である。
【図８】複製元のトラックと複製先のトラックの組み合わせを示す説明図である。
【発明を実施するための形態】
【００１３】
以下、図面に基づき本発明の実施形態について説明する。
【００１４】
図１に、本実施形態におけるマルチトラックレコーダ１の構成ブロック図を示す。音声信号入力回路１０は、複数の入力ポートを備え、複数の音源（ソース）からの音声信号を入力する。複数の音声信号を例示すると、ギター、ボーカル、ドラム等である。本実施形態では、音声信号入力回路１０は、２個の内蔵マイク及び２個の入力ポートを備え、音声信号を入力する。内蔵マイクと入力ポートは相互に切替可能である。音声信号入力回路１０から入力された音声信号は、バス１６を介してＤＳＰ（デジタルシグナルプロセッサ）１４に供給される。
【００１５】
ＤＳＰ１４は、ＣＰＵ３２の制御の下で、音声信号入力回路１０から供給された複数チャンネルの音声信号に対して、各種のデジタル処理、例えばエフェクト処理やイコライジング処理、ミキシング処理を施し、バス１８を介してレコーダ３４に記録する。レコーダ３４の記録媒体は、ＣＤ−Ｒ／ＲＷ、ＤＶＤ−Ｒ／ＲＷ等の光ディスクやハードディスク、フラッシュメモリ媒体等である。ＤＳＰ１４の処理には、操作子２０の操作に応じて各音声信号のパン（ＰＡＮ）や音量レベルを調整する処理も含まれる。
【００１６】
操作子２０は、マルチトラックレコーダ１の操作面に設けられる。操作子２０は、各種のキースイッチや選択ボタン、メニューボタン、決定ボタン、パン（ＰＡＮ）つまみ、レベルつまみ等から構成される。ユーザは、操作子２０を操作することで、各音声信号を、複数トラックの少なくとも１つのトラックに割り当てる。操作子２０の操作状態は検出回路２２で検出される。検出回路２２は、バス１８を介して操作子２０の操作状態検出信号をＣＰＵ３２に供給する。
【００１７】
ＣＰＵ３２は、マルチトラックレコーダの全体を統括制御する。ＣＰＵ３２は、フラッシュＲＯＭ２８に記憶されたプログラムに従い、ワーキングメモリとしてのＲＡＭ３０を用いて各種処理を実行する。具体的には、検出回路２２からの操作状態検出信号に基づいて、複数チャンネルの各音声信号を複数トラックの少なくとのいずれかのトラックに割り当てる。例えば、トラックがトラック１〜トラック４まで存在する場合に、チャンネルＡをトラック１に割り当て、チャンネルＢをトラック２に割り当て、チャンネルＣをトラック４に割り当てる等である。本実施形態において、このような各チャンネルをトラックに割り当てた結果としての、各チャンネルと各トラックとの対応関係を「アサイン情報」と称する。また、ＣＰＵ３２は、各種の情報を表示回路２６に供給する。表示回路２６は、各種情報を表示部２４に表示する。
【００１８】
ＣＰＵ３２は、ユーザによる操作子２０の操作に応じて各種メニュー画面や設定画面を表示すべく表示回路２６に指令し、表示回路２６は、ＣＰＵ３２からの情報に応じてメニュー画面や設定画面を表示部２４に表示する。メニュー画面には、トラック１〜トラック４のそれぞれのトラックを、モノラルとするかステレオにするかのメニュー画面が含まれる。すなわち、本実施形態では、トラック１〜トラック４の少なくともいずれかは、モノラルにするかステレオにするかを選択可能に構成されており、ユーザは所望のトラックをモノラル、ステレオのいずれかに設定する。本実施形態におけるマルチトラックレコーダは、トラック１及びトラック２はモノラルに固定され、トラック３及びトラック４がモノラルあるいはステレオのいずれかに設定可能であるとする。設定画面には、あるトラックに記録された音声信号を別のトラックに複製する（クローンあるいはコピー）する設定画面が含まれる。ユーザは、設定画面において操作子２０を操作することで複製元のトラック及び複製先のトラックを選択する。
【００１９】
また、ＣＰＵ３２は、各トラック毎に割り当てられた音声信号のレベルを棒グラフ形式（レベルメータ）で表示すべく表示回路２６に指令し、表示回路２６は、ＣＰＵ３２からの情報に応じてレベルメータ画像を表示部２４に表示する。
【００２０】
さらに、ＣＰＵ３２は、検出回路２２からの操作状態検出信号に応じ、レコーダ３４に記録された音声信号を読み出してＤＳＰ１４に供給し、ＤＳＰ１４はバス及び音声信号出力回路１２を介して音声信号を外部に出力する。音声出力回路１２は、アナログ出力ポートやデジタル出力ポート等の各種出力ポートを有する。
【００２１】
図２に、本実施形態におけるマルチトラックレコーダ１の平面図を示す。また、図３及び図４に、それぞれマルチトラックレコーダの正面図及び背面図を示す。
【００２２】
マルチトラックレコーダ１の操作面には、各種操作子２０と、表示部２４が設けられる。操作子２０として、インプットセッティングキー２０ａ、アサインキー２０ｂ、入力チャンネル用レベルつまみ２０ｃ、マスターレベルつまみ２０ｄ、パン（ＰＡＮ）つまみ２０ｅ、レベルつまみ２０ｆ、録音ファンクションキー２０ｇ、ホームキー２０ｈ、メニューキー２０ｉ、データホイール２０ｊ、停止キー２０ｋ、再生キー２０ｍ、録音キー２０ｎが設けられる。
【００２３】
インプットセッティングキー２０ａは、入力ソースを選択するためのキーであり、ユーザはこのキーを操作することで入力ソースを内蔵マイクとするか、あるいは入力ポートとするかを切り替える。
【００２４】
アサインキー２０ｂは、トラック１〜トラック４の各トラックに入力音声信号をアサインするためのキーであり、ユーザはこのキーを操作することで各トラックに音声信号を割り当てて録音する。
【００２５】
入力チャンネル用レベルつまみ２０ｃは、各入力ソースのレベルを調整するためのつまみであり、ユーザはこのつまみを操作することで各入力ソースのレベルを調整する。例えば、入力ソースを内蔵マイクに設定した場合、このつまみを用いて内蔵マイクから入力される音声信号のレベルを調整する。
【００２６】
マスターレベルつまみ２０ｄは、ステレオ出力信号のモニタレベルを調整するためのつまみである。
【００２７】
パン（ＰＡＮ）つまみ２０ｅは、トラック１〜トラック４の各トラックに設けられ、各トラックの音声信号のステレオミックスにおける定位（ＰＡＮ）を調整するつまみである。
【００２８】
レベルつまみ２０ｆは、トラック１〜トラック４の各トラックに設けられ、各トラックの音声信号のレベルを調整する。
【００２９】
録音ファンクションキー２０ｇは、トラック１〜トラック４の各トラックに設けられ、ユーザはこのキーを操作することで該当トラックが録音待機状態に移行する。なお、録音待機状態において、再生キー２０ｍと録音キー２０ｎを操作することで、録音待機状態のトラックに音声信号が記録される。
【００３０】
ホームキー２０ｈは、表示部２４にホーム画面を表示するためのキーである。ホーム画面は、マルチトラックレコーダ１の基本画面であり、マルチトラックレコーダ１の電源をオンした直後に表示される画面である。他の画面を表示中にホームキー２０ｈを操作すると、表示部２４にホーム画面が表示される。ホーム画面には、レコーダモータや電源状態、レコーダのトランスポート状態、レコーダのタイムカウンタ、トラック１〜トラック４の状態やレベルメータ、ステレオ出力のレベルメータ等が表示される。
【００３１】
メニューキー２０ｉは、表示部２４にメニュー画面を表示するためのキーである。メニュー画面には、インフォメーション、トラック編集、データバックアップ、チューナ等が含まれる。トラック編集には、クローントラック、クリーンアウト、サイレンス、カット、オープン等が含まれる。クローントラックは、トラックを複製するメニューであり、クリーンアウトはトラックを削除するメニューであり、サイレンスは部分的に消去するメニューであり、カットは部分的に削除するメニューであり、オープンは無音を挿入するメニューである。
【００３２】
データホイール２０ｊは、メニュー操作において、各種パラメータの値を変化させる、あるいは項目を選択するためのホイールである。
【００３３】
一方、図３の正面図に示すように、マルチトラックレコーダ１の正面には、左右に内蔵マイク３６，３８が設けられる。通常、内蔵マイク３６，３８は、ステレオ録音の際の左右のマイク、すなわち内蔵マイク３６をＬチャンネル用、内蔵マイク３８をＲチャンネル用として用いられるが、これに限定されるわけではなく、内蔵マイク３６あるいは内蔵マイク３８のいずれかのみを用いる、あるいは内蔵マイク３６をＲチャンネル用、内蔵マイク３８をＬチャンネル用に用いてもよい。内蔵マイク３６，３８から入力された音声信号のレベルは、入力チャンネル用レベルつまみ２０ｃで調整される。
【００３４】
また、図４の背面図に示すように、マルチトラックレコーダ１の背面には、入力ポート４０，４２が設けられる。入力ポート４０，４２から入力された音声信号のレベルも、同様に入力チャンネル用レベルつまみ２０ｃで調整される。
【００３５】
ユーザは、これらの操作子２０を用いて、所望のチャンネル及びトラックを選択し、音声信号を所望のトラックに割り当てることができる。例えば、チャンネルＡとして入力ポート４０を選択してギター音声信号を入力し、チャンネルＢとして入力ポート４２を選択してドラム音声信号を入力し、アサインキー２０ｂを操作して
チャンネルＡ（ギター音声信号）−トラック１
チャンネルＢ（ドラム）−トラック２
等とアサインする。アサイン情報は、ＲＡＭ３０に記憶される。また、ユーザは、これらの操作子２０を用いて、トラック３及びトラック４に関して、モノラルとするかステレオにするかを切り替えて設定する。例えば、
トラック３−ステレオ
トラック４−モノラル
等である。具体的には、トラック３及びトラック４は、それぞれ２つのチャンネルから構成され、モノラルに設定された場合には２つのチャンネルのいずれか一方のみを有効とし、ステレオに設定された場合には２つのチャンネルのいずれも有効としてＬチャンネル及びＲチャンネルとする。従って、トラック３をステレオに設定した場合、トラック３にはＬチャンネル用音声信号とＲチャンネル用音声信号が記録されることになる。
【００３６】
次に、本実施形態における、トラック３及びトラック４のモノラル／ステレオの設定と、トラック編集について具体的に説明する。
【００３７】
図５に、ユーザがメニューキー２０ｉとデータホイール２０ｊを操作して、トラックタイプを選択した場合に表示部２４に表示される画面例を示す。ＣＰＵ３２は、メニューキー２０ｉとデータホイール２０ｊの操作に応じ、トラック３とトラック４のタイプ、すなわちモノラルとするかステレオとするかの設定画面を表示部２４に表示する。画面には、トラック３、トラック４それぞれにおいて、モノラルとステレオの選択肢が表示されており、ユーザはデータホイール２０ｊを操作していずれかを選択する。図５では、ユーザがトラック３をステレオ、トラック４をモノラルに設定した場合を示す。トラック３及びトラック４のタイプ情報は、ＲＡＭ３０に記憶される。なお、トラック１及びトラック２は、モノラルで固定であるため、そのタイプ情報をＲＡＭ３０に記憶しておく必要はないが、トラック１〜トラック４の全てのタイプ情報をまとめてテーブルとしてＲＡＭ３０に記憶してもよい。モノラルの識別子をＭ、ステレオの識別子をＳとすると、
トラック１：Ｍ
トラック２：Ｍ
トラック３：Ｓ
トラック４：Ｍ
等である。
【００３８】
図６に、ユーザがメニューキー２０ｉとデータホイール２０ｊを操作して、トラック編集を選択し、さらにクローントラックを選択した場合に表示部２４に表示される画面例を示す。ＣＰＵ３２は、メニューキー２０ｉとデータホイール２０ｊの操作に応じ、複製元（ＳＯＵＲＣＥ  ＴＲＫ）のトラックと、複製先（ＤＥＳＴＩＮＡＴＩＯＮ  ＴＲＫ）のトラックの設定画面を表示部２４に表示する。画面には、複製元のトラックと、複製先のトラックの選択肢が表示されており、ユーザは所望の複製元のトラックを選択するとともに、所望の複製先のトラックを選択する。
【００３９】
この際、ＣＰＵ３２は、ＲＡＭ３０に記憶されたトラック３及びトラック４のタイプ、すなわち、モノラルかステレオかに応じて、選択し得る可能な選択肢のみを自動的に表示する。モノラルトラックに記録された音声信号は、モノラルトラックに複製することができるがステレオトラックに複製することはできない。逆に、ステレオトラックに記録された音声信号は、ステレオトラックに複製することはできるがモノラルトラックに複製することはできない。但し、ステレオトラックに記録された音声信号を、互いにペアとなっている２つのモノラルトラックに複製することは可能である。ＣＰＵ３２は、このように、トラックタイプに応じて複製可能なトラックと複製不可のトラックの組み合わせが存在することに鑑み、複製可能なトラックのみを選択肢として表示部２４に表示する。具体的には、ＣＰＵ３２は、複製元のトラックが選択された場合、ＲＡＭ３０に記憶されたトラックのタイプ情報のテーブルにアクセスして複製元のトラックがモノラルかステレオかを判別し、その判別結果に応じて複製先のトラックの選択肢を決定する。複製先のトラックの選択肢を決定するアルゴリズムは以下の通りである。
（１）複製元のトラックがモノラルであれば、複製先のトラックはモノラルである。
（２）複製元のトラックがステレオであれば、複製先のトラックはステレオ、あるいはモノラルのペアである。
（３）複製元のトラックがモノラルのペアであれば、複製先のトラックはステレオである。なお、モノラルのペアを複製先のトラックとして含めてもよい。特にトラック数が多いレコーダの場合、仕様によっては複数のモノラルのペアを作ることが可能であるため有効である。
【００４０】
トラック３及びトラック４はモノラルあるいはステレオのいずれかに設定可能であるため、これらの設定状況に応じて複製先のトラックの選択肢が変わり得ることが理解されよう。
【００４１】
図７に、トラック３がステレオ、トラック４がモノラルに設定された場合の、複製元のトラックと複製先トラックの可能な組み合わせを示す。
【００４２】
複製元のトラック（図では複製元ＴＲ）がモノラルのトラック１の場合、複製先のトラック（図では複製先ＴＲ）はモノラルでなければならないので、トラック２あるいはトラック４に限定される。ＣＰＵ３２は、複製先のトラックの選択肢として、トラック２あるいはトラック４を表示部２４に表示する。トラック１やトラック３は、選択肢として表示しない。ユーザは、トラック２あるいはトラック４のいずれかを選択すればよく、トラック１やトラック３を考慮する必要がなく、ユーザの選択が容易化される。なお、複製元のトラックと複製先のトラックが同一である場合には、複製ができないため、トラック１はもともと表示する意味がないが、トラック１を一応選択肢として表示させ、仮にトラック１が選択された場合に所定のエラー表示を行うことも可能であり、実質的に選択肢から排除する、つまり選択不可とすることと等価である。
【００４３】
複製元のトラックがモノラルのトラック２の場合、複製先のトラックはモノラルでなければならないので、トラック１あるいはトラック４に限定される。ＣＰＵ３２は、複製先のトラックの選択肢として、トラック１あるいはトラック４を表示部２４に表示する。
【００４４】
複製元のトラックがステレオのトラック３の場合、複製先のトラックはステレオでなければならないが、ステレオトラックは他には存在しないので、モノラルのペアトラックのみに限定される。図では、モノラルのペアトラックを１／２で示す。モノラルのペアトラック１／２は、２つのモノラルトラック１，２をステレオトラックとして扱うことを意味する。ＣＰＵ３２は、複製先のトラックの選択肢として、トラック１／２を表示部２４に表示する。
【００４５】
複製元のトラックがモノラルのトラック４の場合、複製先のトラックはモノラルでなければならないので、トラック１あるいはトラック２に限定される。ＣＰＵ３２は、複製先のトラックの選択肢として、トラック１あるいはトラック２を表示部２４に表示する。
【００４６】
複製元のトラックがペアトラックのトラック１／２の場合、複製先のトラックはステレオでなければならないので、トラック３に限定される。ＣＰＵ３２は、複製先のトラックの選択肢として、トラック３を表示部２４に表示する。
【００４７】
図８に、トラック３及びトラック４がともにステレオに設定された場合の、複製元のトラックと複製先のトラックの可能な組み合わせを示す。
【００４８】
複製元のトラックがトラック１の場合、複製先のトラックはモノラルでなければならないので、トラック２に限定される。ＣＰＵ３２は、複製先のトラックの選択肢として、トラック２を表示部２４に表示する。
【００４９】
複製元のトラックがトラック２の場合、複製先のトラックはモノラルでなければならないので、トラック１に限定される。ＣＰＵ３２は、複製先のトラックの選択肢として、トラック１を表示部２４に表示する。
【００５０】
複製元のトラックがトラック３の場合、複製先のトラックはステレオでなければならないので、トラック４あるいはモノラルのペアトラック１／２に限定される。ＣＰＵ３２は、複製先のトラックの選択肢として、トラック４あるいはペアトラック１／２を表示部２４に表示する。
【００５１】
複製元のトラックがトラック４の場合、複製先のトラックはステレオでなければならないので、トラック３あるいはモノラルのペアトラック１／２に限定される。ＣＰＵ３２は、複製先のトラックの選択肢として、トラック３あるいはペアトラック１／２を表示部２４に表示する。
【００５２】
複製元のトラックがペアトラックのトラック１／２の場合、複製先のトラックはステレオでなければならないので、トラック３あるいはトラック４に限定される。ＣＰＵ３２は、複製先のトラックの選択肢として、トラック３あるいはトラック４を表示部２４に表示する。
【００５３】
なお、図示していないが、トラック３がモノラル、トラック４がステレオに設定された場合の、複製元のトラックと複製先トラックの可能な組み合わせは、図７において、複製先ＴＲの３を４と読み替え、４を３と読み替えればよいことは容易に理解されよう。ＣＰＵ３２は、図７、図８に示される組み合わせを規定するテーブルをＲＡＭ３０に記憶し、このテーブルを参照することで復籍元のトラックに応じた可能な複製先のトラックを選択肢として表示してもよい。
【００５４】
このように、本実施形態では、トラック１〜トラック４のタイプをＲＡＭ３０に記憶し、ＣＰＵ３２は、選択された複製元のトラックのタイプに応じた、複製先の可能なトラックのみを抽出して選択肢としてユーザに自動的に提示するので、ユーザは、トラック１〜トラック４のタイプをその都度確認して可能なトラックを探す手間が省け、迅速かつ確実に複製先のトラックを設定して複製することができる。
【００５５】
本実施形態では、トラック１〜トラック４を有するマルチトラックレコーダを例示したが、これに限定されるものではなく、５トラック以上を有するマルチトラックレコーダにも同様に適用できる。
【００５６】
また、本実施形態では、トラック３，４のトラックタイプ、あるいはトラック１〜トラック４の全てのトラックタイプをＲＡＭ３０に記憶しているが、フラッシュＲＯＭ２８等の不揮発性メモリに記憶し、電源をオフした後でもトラックタイプの情報を保持するように構成してもよい。
【００５７】
また、本実施形態では、図６に示すように、複製元のトラックの番号と複製先のトラックの番号を表示し、複製元のトラックが選択された場合に、これに応じて複製先のトラックとして選択可能なトラックの番号を選択肢として表示しているが、表示形態はこれに限定されるものではなく、複製先のトラックの番号を一覧表示し、この中で複製元のトラックのトラックタイプに応じて選択し得るトラックの番号のみをハイライト表示して選択可能であることを示してもよい。あるいは、逆に、複製先のトラックとして選択できないトラックの番号に×印等を表示してもよい。要するに、ＣＰＵ３２は、複製元のトラックのトラックタイプに応じ、可能な複製先のトラックをユーザに提示すればよい。
【符号の説明】
【００５８】
１  マルチトラックレコーダ、１０  音声信号入力回路、１２  音声信号出力回路、１４  ＤＳＰ、１６，１８  バス、２０  操作子、２２  検出回路、２４  表示部、２６  表示回路、２８  フラッシュＲＯＭ、３０  ＲＡＭ、３２  ＣＰＵ、３４  レコーダ。
【図１】
2014041679.tif 000003
【図２】
2014041679.tif 000004
【図３】
2014041679.tif 000005
【図４】
2014041679.tif 000006
【図５】
2014041679.tif 000007
【図６】
2014041679.tif 000008
【図７】
2014041679.tif 000009
【図８】
2014041679.tif 000010